(57)【要約】      （修正有）【課題】コネクタの小型化を確保し、フィルタ機能を有し、かつ構造コンパクトなケーブルコネクタを提供する。【解決手段】絶縁座体組１と、回路基板組２と、端子組３とを備え、絶縁座体組１は、突合せ接続具１１と、突合せ接続具１１の一側に設置される座体組１２とを有し、回路基板組２は、入力回路基板２１と、出力回路基板２２とを有し、入力回路基板２１は、突合せ接続具１１と座体組１２との間に垂直に設置され、出力回路基板２２は、座体組１２の上方に横方向に設置されると共に、端子組３を介して相互に電気的接続が形成される。【選択図】図２
0003218899.tif 000002
【実用新案登録請求の範囲】
【請求項１】
絶縁座体組と、回路基板組と、端子組とを備えるケーブルコネクタであって、前記絶縁座体組は、突合せ接続具と、前記突合せ接続具の一側に設置される座体組とを有し、前記突合せ接続具は、突合せ接続ヘッドを含み、前記座体組は、前記突合せ接続ヘッドの側方に設置される台座を含み、
前記回路基板組は、入力回路基板と、出力回路基板と、前記出力回路基板に設置される電子部品とを有し、前記入力回路基板は、前記突合せ接続具と前記台座との間に垂直に設置され、前記出力回路基板は、前記台座の上方に横方向に設置されて、前記端子組は、複数個の入力端子と、複数個の出力端子と、複数個の連結端子とを有し、当該入力端子が前記突合せ接続具内に横方向に貫設されると共に、前記入力回路基板に電気的に接続され、当該出力端子が前記台座内に垂直に貫設されると共に、前記出力回路基板に電気的に接続され、また当該連結端子は、前記入力回路基板と前記出力回路基板とに電気的に接続されることを特徴とする、フィルタ機能を有し、かつ構造コンパクトなケーブルコネクタ。
【請求項２】
前記端子組の当該出力端子と当該連結端子は、それぞれ前記台座の両側に垂直に貫設され、かつ当該連結端子は、前記突合せ接続ヘッドに近接する側方に位置し、当該連結端子の上方端から前記出力回路基板に溶接される第１溶接端が延在し、その下方端から前記突合せ接続ヘッドに向けて前記入力回路基板に溶接される第２溶接端が横方向に延在することを特徴とする、請求項１に記載のフィルタ機能を有し、かつ構造コンパクトなケーブルコネクタ。
【請求項３】
前記回路基板組の前記出力回路基板が複数の場合には、それぞれ前記台座の上、下側方に横方向に設置されて、当該出力端子の両端は、各前記出力回路基板に電気的に接続され、また当該連結端子の上、下両端からそれぞれ第１溶接端が延在し、その上、下両端の間から前記突合せ接続ヘッドに向けて第２溶接端が横方向に延在し、前記第１溶接端がそれぞれ前記出力回路基板に溶接され、前記第２溶接端が前記入力回路基板に溶接されることを特徴とする、請求項１に記載のフィルタ機能を有し、かつ構造コンパクトなケーブルコネクタ。
【請求項４】
前記回路基板組の前記入力回路基板は、前記絶縁座体組の前記突合せ接続ヘッドに向かい合う入力溶接部と、前記入力溶接部の両側から延在する連結溶接部とを含み、かつ前記連結溶接部の上方と前記入力溶接部との間に切り込み口が形成されて、前記出力回路基板の前記突合せ接続ヘッドに近接する側方から突合せ接続溶接部が延在し、前記突合せ接続溶接部が切り込み口を貫通して前記入力回路基板と前記突合せ接続ヘッドとの間に位置し、前記端子組の当該入力端子の一端が前記入力溶接部に溶接されて電気的接続が形成され、当該連結端子は、垂直に設置される第１溶接端と、前記第１溶接端の下方から横方向に延在する第２溶接端とを含み、かつ前記第１溶接端が前記出力回路基板の前記突合せ接続溶接部に溶接され、かつ前記第２溶接端が前記入力回路基板の前記連結溶接部に溶接されることを特徴とする、請求項１に記載のフィルタ機能を有し、かつ構造コンパクトなケーブルコネクタ。
【考案の詳細な説明】
【技術分野】
【０００１】
本考案は、フィルタ機能を有し、かつ構造コンパクトなケーブルコネクタに係り、特に、フィルタ機能を持ち、かつ構造簡単で小型化が可能なケーブルコネクタに関するものである。
【背景技術】
【０００２】
Ｍ８コネクタやＭ１２コネクタなどのような伝統的な電気コネクタは、単純な機械的コネクタであり、それは主にプラスチック絶縁体と複数の端子とから構成され、この種の部品から構成されるコネクタは、一般的に低周波信号の伝送のみに用いられるため、高周波伝送時に、信号の安定を損なう状態、及び信号の品質を破壊する状態になることがある。現今、高周波伝送に対する解決策としては、設備の回路基板上にフィルタなどの機能を有する電子部品を設置することが採用され、このような設計により、設備の内部空間を不可避的に占有してしまい、設備の回路レイアウトに影響を及ぼす。
【考案の概要】
【考案が解決しようとする課題】
【０００３】
本考案の主な目的は、フィルタ機能を有する構造コンパクト型コネクタを提供することである。
【課題を解決するための手段】
【０００４】
上記の目的を達成するために、本考案のケーブルコネクタは、絶縁座体組と、回路基板組と、端子組とを備え、絶縁座体組は、突合せ接続具と、突合せ接続具の一側に設置される座体組とを有し、突合せ接続具は、突合せ接続ヘッドを含み、座体組は、突合せ接続ヘッドの側方に設置される台座を含み、また回路基板組は、入力回路基板と、出力回路基板と、出力回路基板に設置される電子部品とを有し、入力回路基板は、突合せ接続具と台座との間に垂直に設置され、出力回路基板は、台座の上方に横方向に設置されて、端子組は、複数個の入力端子と、複数個の出力端子と、複数個の連結端子とを有し、入力端子が突合せ接続具内に横方向に貫設されると共に、入力回路基板に電気的に接続され、出力端子が台座内に垂直に貫設されると共に、出力回路基板に電気的に接続され、また連結端子は、入力回路基板と出力回路基板とに電気的に接続される。
【考案の効果】
【０００５】
本考案は、コネクタの小型化を確保し、構造を簡単にして生産を容易にする状態において、同時にフィルタ機能をさらに持つものである。
【図面の簡単な説明】
【０００６】
【図１】本考案の第１実施例の外観斜視図である。
【図２】本考案の第１実施例の分解斜視図である。
【図３】本考案の第１実施例の連結端子と台座の分解斜視図である。
【図４】本考案の第１実施例の断面図である。
【図５】本考案の第２実施例の分解斜視図である。
【図６】本考案の第２実施例の連結端子と台座の分解斜視図である。
【図７】本考案の第２実施例の断面図である。
【図８】本考案の第３実施例の分解斜視図である。
【考案を実施するための形態】
【実施例１】
【０００７】
図１〜図４を参照して、図示のように、本考案には、絶縁座体組１と、回路基板組２と、端子組３と、シールド筐体４とが設置され、絶縁座体組１は、突合せ接続具１１と、突合せ接続具１１の一側に設置される座体組１２とを有し、突合せ接続具１１は、突合せ接続ヘッド１１１と、突合せ接続ヘッド１１１の一側に連結される外筐１１２とを含み、座体組１２は、台座１２１と、台座１２１の下方の底座１２５とを含み、かつ座体組１２が外筐１１２内に収容されることで、台座１２１を突合せ接続ヘッド１１１の側方に設置し、前記回路基板組２は、入力回路基板２１と、出力回路基板２２と、出力回路基板２２に設置される電子部品２３とを有し、入力回路基板２１は、突合せ接続具１１と台座１２１との間に垂直に設置され、出力回路基板２２は、台座１２１の上方に横方向に設置され、前記端子組３は、複数個の入力端子３１と、複数個の出力端子３２と、複数個の連結端子３３とを有し、入力端子３１が突合せ接続具１１内に横方向に貫設されると共に、入力回路基板２１に電気的に接続され、出力端子３２が台座１２１内に垂直に貫設されると共に、出力回路基板２２に電気的に接続され、また連結端子３３は、入力回路基板２１と出力回路基板２２とに電気的に接続され、前記シールド筐体４で外筐１１２の外側を包囲する。
【０００８】
前述した台座１２１内に中空部１２２、及び中空部１２２の両側に位置する垂直状の前挿入孔１２３と後挿入孔１２４が設置され、出力回路基板２２上の台座１２１に近接する電子部品２３が中空部１２２内に収容され、前挿入孔１２３が突合せ接続ヘッド１１１に近接して、連結端子３３と出力端子３２がそれぞれ前挿入孔１２３と後挿入孔１２４内に貫設されることで、連結端子３３を突合せ接続ヘッド１１１に近接する側方に位置させ、かつ連結端子３３の上方端から第１溶接端３３１が延在し、その下方端から突合せ接続ヘッド１１１に向けて第２溶接端３３２が横方向に延在し、また入力回路基板２１には、入力挿入孔２１１と、連結挿入孔２１２とを含み、出力回路基板２２の両側には、それぞれ突合せ接続挿入孔２２１と、出力挿入孔２２２とを含み、そのため、入力端子３１の一端が入力挿入孔２１１に挿通されると共に、溶接固定されて電気的接続が形成され、出力端子３２の上方端及び連結端子３３の第１溶接端３３１は、それぞれ出力挿入孔２２２及び突合せ接続挿入孔２２１に挿通されると共に、溶接固定されて電気的接続が形成される。
【実施例２】
【０００９】
図５〜図７を参照して、図示のように、本考案の第２実施例と前述した第１実施例との相違点は、前記回路基板組２の出力回路基板２２が複数の場合には、それぞれ座体組１３の台座１３１の上、下側方に横方向に設置されて、出力端子３２の両端は、各出力回路基板２２に電気的に接続され、また連結端子３４の上、下両端からそれぞれ第１溶接端３４１が延在し、その上、下両端の間から突合せ接続ヘッド１１１に向けて第２溶接端３４２が横方向に延在し、第１溶接端３４１がそれぞれ出力回路基板２２の突合せ接続挿入孔２２１に溶接されると共に、溶接固定されて電気的接続が形成され、第２溶接端３４２も同様に入力回路基板２１の連結挿入孔２１２に溶接されると共に、溶接固定されて電気的接続が形成される点である。
【実施例３】
【００１０】
図８を参照して、図示のように、本考案の第３実施例と前述した第１実施例との相違点は、前記絶縁座体組１の突合せ接続具１４は、突合せ接続ヘッド１４１と、突合せ接続ヘッド１４１の側方に連結される差し込み部１４２とを含み、かつ差し込み部１４２上に複数個の位置決め挿入孔１４３が設置され、座体組１５の台座１５１の上方に上蓋１５２が設置されて、回路基板組２の入力回路基板２４は、突合せ接続ヘッド１４１に向かい合う入力溶接部２４１と、入力溶接部２４１上の入力挿入孔２４２とを含み、また入力溶接部２４１の両側から連結溶接部２４３が延在し、溶接連結部２４３上に連結挿入孔２４４が設置され、かつ連結溶接部２４３の上方と入力溶接部２４１との間に切り込み口２４５が形成されて、出力回路基板２５の突合せ接続ヘッド１４１に近接する側方から突合せ接続溶接部２５１が延在し、突合せ接続溶接部２５１上に突合せ接続挿入孔２５２が設置され、かつ突合せ接続溶接部２５１が切り込み口２４５を貫通して入力回路基板２４と突合せ接続ヘッド１４１との間に位置し、また端子組３の連結端子３５は、垂直に設置される第１溶接端３５１、及び第１溶接端３５１の下方両側からそれぞれ横方向に延在する第２溶接端３５２と固定端３５３を含み、前述した端子組３の連結端子３５は、入力回路基板２４と差し込み部１４２との間に位置すると共に、連結端子３５の第１溶接端３５１が出力回路基板２５の突合せ接続挿入孔２５２に溶接され、第２溶接端３５２が入力回路基板２４の連結挿入孔２４４に溶接され、固定端３５３が位置決め挿入孔１４３内に挿し込まれる点である。さらに、シールド筐体４の外側にナット組立体５が連結される。
【符号の説明】
【００１１】
１：絶縁座体組
１１：突合せ接続具
１１１：突合せ接続ヘッド
１１２：外筐
１２：座体組
１２１：台座
１２２：中空部
１２３：前挿入孔
１２４：後挿入孔
１２５：底座
１３：座体組
１３１：台座
１３２：中空部
１３３：前挿入孔
１３４：後挿入孔
１３５：底座
１４：突合せ接続具
１４１：突合せ接続ヘッド
１４２：差し込み部
１４３：位置決め挿入孔
１５：座体組
１５１：台座
１５２：上蓋
２：回路基板組
２１：入力回路基板
２１１：入力挿入孔
２１２：連結挿入孔
２２：出力回路基板
２２１：突合せ接続挿入孔
２２２：出力挿入孔
２３：電子部品
２４：入力回路基板
２４１：入力溶接部
２４２：入力挿入孔
２４３：溶接連結部
２４４：連結挿入孔
２４５：切り込み口
２５：出力回路基板
２５１：突合せ接続溶接部
２５２：突合せ接続挿入孔
３：端子組
３１：入力端子
３２：出力端子
３３：連結端子
３３１：第１溶接端
３３２：第２溶接端
３４：連結端子
３４１：第１溶接端
３４２：第２溶接端
２４３：連結溶接部
３５：連結端子
３５１：第１溶接端
３５２：第２溶接端
３５３：固定端
４：シールド筐体
５：ナット組立体
【図１】
0003218899.tif 000003
【図２】
0003218899.tif 000004
【図３】
0003218899.tif 000005
【図４】
0003218899.tif 000006
【図５】
0003218899.tif 000007
【図６】
0003218899.tif 000008
【図７】
0003218899.tif 000009
【図８】
0003218899.tif 000010